(57)【特許請求の範囲】
【請求項１】
送風機から熱風炉に至る間の高炉冷風管に、ノズル群から水を吹き込むことにより高炉への送風を調湿する際に、調湿量の最小変化分に見合う水吹き込み量をもつノズル群と、前記吹き込み量以上の水吹き込み量をもつノズル群との複数組のノズル群を設け、かつ該ノズル群の水導管に遮断弁を取り付け、前記各ノズル群のうち目標水吹き込み量に応じ選択したノズル群のみに当該遮断弁を開閉して通水して水の吹き込み量を段階的に制御するとともに、前記目標水吹き込み量と測定した実績水吹き込み量との偏差を、前記複数組のノズル群に水を供給する水昇圧ポンプから吐出される水の圧力を調整するカスケード制御により補償するようにした水吹き込みによる高炉送風への調湿方法において、所定量の水吹き込み指令に対して通水量が同一とされる複数の遮断弁の開閉動作の回数を監視して、動作回数の少ない遮断弁から順に開閉動作させるようにすることを特徴とする水吹き込みによる高炉送風の調湿方法。
【請求項２】
送風機から熱風炉に至る間の高炉冷風管に、ノズル群から水を吹き込むことにより高炉への送風を調湿する際に、調湿量の最小変化分に見合う水吹き込み量をもつノズル群と、前記吹き込み量以上の水吹き込み量をもつノズル群との複数組のノズル群を設け、かつ該ノズル群の水導管に遮断弁を取り付け、前記各ノズル群のうち目標水吹き込み量に応じ選択したノズル群のみに当該遮断弁を開閉して通水して水の吹き込み量を段階的に制御するとともに、前記目標水吹き込み量と測定した実績水吹き込み量との偏差を、前記複数組のノズル群に水を供給する水昇圧ポンプから吐出される水の圧力を調整するカスケード制御により補償するようにした水吹き込みによる高炉送風への調湿方法において、通水量が同一とされる遮断弁にあらかじめ優先順位を与えておき、所定量の水吹き込み指令に対して優先順位の高い遮断弁から順次開閉動作させるとともに、所定時間経過ごとに前記優先順位を１つずつ繰り下げて変更することを特徴とする水吹き込みによる高炉送風調湿方法。
【発明の詳細な説明】
【０００１】
【発明の属する技術分野】
本発明は、送風機から熱風炉に至る間の冷風管に、複数のノズル群から水を吹き込むことにより高炉への送風を調湿するようにした水吹き込みによる高炉送風の調湿方法に関するものである。
【０００２】
【従来の技術】
高炉の炉底部側壁に設けた羽口から、熱風炉で加熱した高温送風を行うに際し、送風中の水分を調整するため送風機から熱風炉に至る間の高炉冷風管に、ノズル群から水を吹き込むことにより高炉への送風を調湿する調湿送風が行われている。大気中の湿分には変化があるので、調湿送風によって湿分の値を一定に保持することにより操業上の変動要因を減らすことになる。調湿送風には、送風中の湿分を減ずる乾燥送風と湿分を増加する増湿送風がある。乾燥送風は、羽口前の湿分の分解熱のマイナスを除くことによるコークス消費量の節減を目的としている。
【０００３】
また、増湿送風は、理論燃焼温度および羽口前の酸化帯を調節して溶融帯温度を一定温度に維持することにより、炉熱をコントロールし、さらに分解された気体による炉内反応によって高炉操業を高能率にすることを目的にしている。湿分の増加は炉内のコークスと水分との反応を増加するので、炉内の鉱石還元を促進するとともに、高炉内における棚吊りやスリップの起こりやすい場合に、これらを抑制する効果がある。
【０００４】
従来、高炉の増湿送風方法としては、送風機から熱風炉に至る間の高炉冷風管内に水蒸気を吹き込むことが主流であった。しかしながら、水蒸気を製造するエネルギーコストが高価であるため、水蒸気の代替としてコストが安価な液体状態の水（以下、単に水という）を高炉冷却管内にミスト化して吹き込む方法が多用されている。これらの水吹き込み設備の中で、複数の遮断弁とノズルとの組み合わせから構成される水吹き込み調湿設備を用いるものとして、本出願人が既に出願した特開平９−263810号公報に開示されている。その水吹き込み調湿設備の概要を図５に示す。
【０００５】
図５において、図示を省略した送風機から熱風炉に至る高炉冷風管１に、調湿量の最小変化に見合う水吹き込み量（0.5 t/h)をもつノズル群２ａ，２ｂ，２ｃと前記ノズル群の水吹き込み量以上のノズル群２ｄ，２ｅ1 ，…２ｅn との複数のノズル群を設置する。各ノズル群を構成するノズルは、それぞれ１本の水導管３ａ，３ｂ，３ｃ，３ｄ，３ｅ1 ，…３ｅn に接続されており、各水導管３ａ，…３ｅn の途中にそれぞれ遮断弁４ａ，４ｂ，４ｃ，４ｄ，４ｅ1 ，…４ｅn を設けて、それぞれ単独に通水を制御できるようになっている。また、各水導管３ａ，…３ｅn は１本の吹き込み水配管５に接続され、この吹き込み水配管５は水流量計６、水流量調節弁７、水昇圧ポンプ８を介して水タンク９に接続される。
【０００６】
前述の水吹き込み調湿設備において、まず、調湿するために必要な高炉冷風管１内に吹き込む目標水吹き込み量ＶW0を、下記の計算式(1) に従い演算する。
ＶW ＝｛（ＭSV−ＭPV）×ＢＶ×60｝／1000000         ………………(1)
ＶW ：目標水吹き込み量（t/h)
ＭSV：目標送風湿度(g/Nm3)
ＭPV：水吹き込み前の送風湿分(g/Nm3)
ＢＶ：送風流量(Nm3)
遮断弁４ａ，…４ｅn の開閉組み合わせの方式は、たとえば表１に示したごとくであり、調湿量の最小変化に見合う水吹き込み量(0.5t/h)をもつノズル群２ａ，２ｂ，２ｃと前記水吹き込み量以上(2.5t/h)のノズル群２ｄ，２ｅ1 ，…２ｅn のうち、水吹き込みに使用するノズル群のみに通水して、水の吹き込み量を段階的に制御し、送風調湿を行う。
【０００７】
【表１】
0003731376.tif 000002
【０００８】
たとえば、ノズル群２ａ，…２ｅn から吹き込める水の量を、前記計算式(1) に従って計算した目標水吹き込み量ＶW が4.0 t/h 以上、4.5 t/h 未満となれば、ノズル群２ａ，…２ｅn にそれぞれ対応して配置された遮断弁４ａ，…４ｅn のうち、前記表１に示すように遮断弁４ａ，４ｂ，４ｄを開にし、その他は閉のままとする。また、目標水吹き込み量ＶW を4.5 t/h 以上5.0 t/h 未満とするときには、遮断弁４ｂ, ４ｃ, ４ｄを開にすることにより調湿に必要な水吹き込み量とする。なお、5.0 t/h 以上の場合についても同様に表１に示している。
【０００９】
このように、従来の高炉に吹き込む送風の調湿制御では、送風中に吹き込む水の量に応じ、あらかじめ設定した通りに複数の遮断弁４ａ，…４ｅn を開閉し、段階的に水の流量を制御するのみであったため、どうしても水吹き込み目標量Ｖw と測定した実績水吹き込み量ＶW1とに、ノズル特性やノズルの劣化あるいはノズル詰まり等により生じる定常偏差ΔＶW が生じることになるので、その偏差を解消するために、目標送風湿度Ｍsvをあらかじめ水吹き込み制御器16に入力しておく。
【００１０】
一方、高炉冷風管１に配設した送風流量計14および湿分計15を用いて、高炉冷風管１内を流れる水吹き込み前の送風流量ＢＶおよび送風湿分Ｍpvをそぞれ測定し、測定した送風流量ＢＶと湿分ＭPVとを水吹き込み制御器16に入力する。水吹き込み制御器16では、測定した送風流量ＢＶおよび送風湿分ＭPV並びに予め入力してある目標送風湿度ＭSVとから、計算式(1) を用いて目標水吹き込み量ＶW を計算する。そして、水吹き込み制御器16から目標水吹き込み量ＶW を水流量調節器11に入力する一方、吹き込み水配管５に配設した水流量計６により測定した実績水流量ＶW1を水流量調節器11に入力する。
【００１１】
水流量調節器11では、目標水吹き込み量ＶW と測定した実績水吹き込み量ＶW1とから水量の過不足を水吹き込み量偏差ΔＶW として演算し、この水吹き込み量偏差ΔＶW を補うためみ必要な水圧力偏差ΔＰW として水圧力調節器12に入力する。一方、吹き込み水配管５に配設した水圧力計10により測定した実績水圧力ＰW を圧力調節器12に入力する。水圧力調節器12では、入力された水圧力偏差ΔＰW および水圧力計10により測定した実績水圧力ＰW に基づいて、新たな水圧力設定値ＰW0を定め、この水圧力設定値ＰW0を吹き込み水配管５に配設した水圧力調節弁13に入力する。
【００１２】
水圧力調節弁13では、入力された新たな水圧力設定値ＰW0にしたがって、水タンク９から水昇圧ポンプ８を介して吹き込み水配管５に供給される水の吐出圧力を調整する。これによって、吹き込み水配管５から供給される水吹き込み量偏差ΔＶW を補うことにより、各ノズル群２ａ，…２ｅn から選択されたノズル群に供給する水の過不足を補償する。このように、送風機から熱風炉に至る高炉冷風管１に配設した複数のノズル群２ａ，…２ｅn と遮断弁４ａ，…４ｅn とを組み合わせて水吹き込みを行う調湿制御に加え、各ノズル群２ａ，…２ｅn のノズル特性変化等から生じる目標水吹き込み量ＶW と測定した実績水吹き込み量ＶW1との偏差を、水昇圧ポンプ８の吐出圧力の調整により補償する一連のカスケード制御ループを構成する。
【００１３】
【発明が解決しようとする課題】
しかしながら、前述したように目標水吹き込み量に応じて所定の遮断弁を開閉する固定の設定をもつ方法では、定常的な目標水吹き込み量における特定の遮断弁の開閉動作の回数は増加する一方で、大流量を吹き込むための遮断弁はまったく動作するチャンスがないのである。
【００１４】
そのことを目標水吹き込み量を4.5 〜6.0 t/h で操業している場合を例にして具体的に説明すると、図６に示すように、時刻ｔ1 で1.5 t/h の目標水吹き込み量に対して遮断弁４ａ，４ｂが開となり、ついで時刻ｔ2 の目標水吹き込み量4.0 t/h に対してさらに遮断弁４ｄが開、時刻ｔ3 の目標水吹き込み量4.5 t/h に対して遮断弁４ａが閉、遮断弁４ｃが開、時刻ｔ4 で目標水吹き込み量が5.0 t/h になったので遮断弁４ｂ，４ｃ，４ｄが閉になって遮断弁４ｅ1 が開（１回目の動作）となりその後目標水吹き込み量が5.2 t/h 一定状態なので遮断弁４ｅ1 １個のみで制御される。しかし、時刻ｔ5 で目標水吹き込み量が5.0 t/h 以下になる傾向なので、遮断弁４ｅ1 を閉（２回目の動作）、遮断弁４ｂ，４ｃ，４ｄを開にする。さらに時刻ｔ6 で目標水吹き込み量が再び5.0 t/h 以上になる傾向なので遮断弁４ｂ，４ｃ，４ｄを閉、遮断弁４ｅ1 を開（３回目の動作）とする。引き続き、時刻ｔ7 で再び目標水吹き込み量が5.0 t/h 以下になるので遮断弁４ｂ，４ｃ，４ｄを開、遮断弁４ｅ1 を閉（４回目の動作）とする。さらに、時刻ｔ8 での目標水吹き込み量5.0 t/h 越えに対して時刻ｔ6 と同様に遮断弁４ｂ，４ｃ，４ｄを閉、遮断弁４ｅ1 を開（５回目の動作）とし、時刻ｔ9 での目標水吹き込み量5.0 t/h 以下に対して時刻ｔ5 あるいは時刻ｔ7 と同様に、遮断弁４ｅ1 を閉（６回目の動作）、遮断弁４ｂ，４ｃ，４ｄを開にする。
【００１５】
このように、遮断弁４ｅ1 は水吹き込み制御器16からの目標に従って開閉動作を行うがこの遮断弁４ｅ1 と同じ量の水を吹き込む能力（以下、同一能力という）を有する他の遮断弁４ｅ2 ，…４ｅn はまったく動作することがない。このような定常的な制御状態においては遮断弁４ｅ1 というような特定の遮断弁のみに開閉動作が集中することになるから、その遮断弁は残された同一能力の遮断弁に比較して早期に動作限界に到達して劣化摩耗に至るため、流量制御の精度を損なうことになって信頼性がなり、早期に部品交換などの修理を要するという問題が生じることになる。
【００１６】
本発明は、上記のような従来例の有する課題を解決すべくなされたものであって、特定の遮断弁のみに開閉動作が集中することなく同一能力を有する遮断弁の開閉動作回数の均一化を図ることにより、遮断弁の信頼性を長期的に保持することの可能な水吹き込みによる高炉送風の調湿方法を提供することを目的とする。
【００１７】
【課題を解決するための手段】
前記目的を達成するための本発明は、送風機から熱風炉に至る間の高炉冷風管に、ノズル群から水を吹き込むことにより高炉への送風を調湿する際に、調湿量の最小変化分に見合う水吹き込み量をもつノズル群と、前記吹き込み量以上の水吹き込み量をもつノズル群との複数組のノズル群を設け、かつ該ノズル群の水導管に遮断弁を取り付け、前記各ノズル群のうち目標水吹き込み量に応じ選択したノズル群のみに当該遮断弁を開閉して通水して水の吹き込み量を段階的に制御するとともに、前記目標水吹き込み量と測定した実績水吹き込み量との偏差を、前記複数組のノズル群に水を供給する水昇圧ポンプから吐出される水の圧力を調整するカスケード制御により補償するようにした水吹き込みによる高炉送風への調湿方法において、所定量の水吹き込み指令に対して通水量が同一とされる複数の遮断弁の開閉動作の回数を監視して、動作回数の少ない遮断弁から順に開閉動作させるようにすることを特徴とする水吹き込みによる高炉送風の調湿方法である。
【００１８】
また、本発明は、送風機から熱風炉に至る間の高炉冷風管に、ノズル群から水を吹き込むことにより高炉への送風を調湿する際に、調湿量の最小変化分に見合う水吹き込み量をもつノズル群と、前記吹き込み量以上の水吹き込み量をもつノズル群との複数組のノズル群を設け、かつ該ノズル群の水導管に遮断弁を取り付け、前記各ノズル群のうち目標水吹き込み量に応じ選択したノズル群のみに当該遮断弁を開閉して通水して水の吹き込み量を段階的に制御するとともに、前記目標水吹き込み量と測定した実績水吹き込み量との偏差を、前記複数組のノズル群に水を供給する水昇圧ポンプから吐出される水の圧力を調整するカスケード制御により補償するようにした高炉送風への水吹き込みによる調湿方法において、通水量が同一とされる遮断弁にあらかじめ優先順位を与えておき、所定量の水吹き込み指令に対して優先順位の高い遮断弁から順次開閉動作させるとともに、所定時間経過ごとに前記優先順位を１つずつ繰り下げて変更することを特徴とする水吹き込みによる高炉送風の調湿方法である。
【００１９】
【発明の実施の形態】
以下に本発明の好適な実施の形態について、図面を参照しながら具体的に説明する。図１は本発明の高炉調湿送風設備を示す模式的に示す概要図であり、図２は本発明の要部を示す概念図である。なお、図中において従来例と同一の部材については同一符号を付して説明を省略する。
【００２０】
図１に示すように、同一能力（いずれも5.0 t/h ；前出表１参照）を有する遮断弁４ｅ1 ，…４ｅn のそれぞれに、開動作でオン、閉動作でオフすることにより遮断弁の動作を検知するリミットスイッチ17ｅ1 ，…17ｅn が取り付けられる。そして、リミットスイッチ17ｅ1 ，…17ｅn の検出信号は、図２に示すように、それぞれ回線18ｅ1 ，…18ｅn を介してカウンタ19ｅ1 ，…19ｅn に入力されて、それぞれの動作回数がカウントされる。これらのカウンタ19ｅ1 ，…19ｅn でカウントされた遮断弁４ｅ1 ，…４ｅn の動作回数は、回線20ｅ1 ，…20ｅn を介して各遮断弁に開閉動作の指令を出力する水吹き込み制御器16に入力されて、水吹き込み制御器16において同一能力を有する遮断弁間で比較される。そして、次回の動作のチャンスには、動作回数の少ない遮断弁を優先的に開閉動作をさせるのである。
【００２１】
このようにして、開閉動作の回数をカウントアップして同一能力を有する遮断弁間で比較することにより、特定の遮断弁に偏ることなく全部の遮断弁を動作させることができるとともに、その動作回数の均一化を図ることができることになる。
なお、上記の例は動作回数をカウントアップする方法であるが、本発明はこれに限るものではなく、同一能力を有する遮断弁にあらかじめ優先順位を与えておき、その順位に従って遮断弁を動作させるようにしてもよい。すなわち、上記の例と同様に同一能力を有する遮断弁４ｅ1 ，…４ｅn を用いる場合、最初の遮断弁４ｅ1 に優先順位として“１”を与え、遮断弁４ｅ2 に“２”を与え、以下同様にして最後に遮断弁４ｅn に“ｎ”を与えてその順位で所定時間ずつ開閉動作を行わせるのである。これらの遮断弁が動作する優先順位を所定の時間ごとに変更していくことにより、たとえば優先順位“１”の遮断弁４ｅ1 を開閉動作（前出表１の状態）した所定時間の経過後は、優先順位を１つ繰り下げて、表２に示すように優先順位“２”が与えられた遮断弁４ｅ2 を所定時間の間開閉動作させる。このように順次優先順位を繰り下げることによって各遮断弁の動作回数の均一化を図ることができる。
【００２２】
【表２】
0003731376.tif 000003
【００２３】
ここで、優先順位の繰り下げとは、優先順位“１”の遮断弁４ｅ1 →優先順位“２”の遮断弁４ｅ1 →優先順位“３”の遮断弁４ｅ1 →・・・→優先順位“ｎ”の遮断弁４ｅn のことであるが、特定時間の経過に伴って優先順位を変更して遮断弁４ｅ1 に“ｎ”、遮断弁４ｅ2 に“１”、以下同様にして最後に遮断弁４ｅn に“ｎ−１”をそれぞれ与えるように変更していき、ｎ回優先順位を変更した後、再度最初の遮断弁４ｅ1 に“１”の優先順位を与えるようにしても同じ操作を行うことができる。
【００２４】
【実施例】
〔実施例１〕  前出図１に示す本発明の水吹き込み調湿設備を用いて水吹き込み量4.5 〜6.0 t/h で操業した。その際、比較を容易にするために水吹き込み量の変化は前出図６と同じパターンとした。そのときの各遮断弁の動作のタイムチャートを図３に示した。
【００２５】
まず、時刻ｔ1 で1.5 t/h の目標水吹き込み量に対して遮断弁４ａ，４ｂを開とし、ついで時刻ｔ2 の目標水吹き込み量4.0 t/h に対してさらに遮断弁４ｄを開、時刻ｔ3 の目標水吹き込み量4.5 t/h に対して遮断弁４ａを閉、遮断弁４ｃを開とした。時刻ｔ4 で目標水吹き込み量が5.0 t/h になったので遮断弁４ｂ，４ｃ，４ｄを閉にした。同時に、5.0 t/h の能力を有する遮断弁を開にする必要があるが、ここで、遮断弁４ｅ1 ，…４ｅn の動作回数を比較し、動作回数０である最初の遮断弁４ｅ1 を選択して開（遮断弁４ｅ1 ；１回目の動作）とした。時刻ｔ5 で目標水吹き込み量が5.0 t/h 以下になったのに対応して、遮断弁４ｅ1 を閉（遮断弁４ｅ1 ；２回目の動作）にし、遮断弁４ｂ，４ｃ，４ｄを開にした。
【００２６】
ついで、時刻ｔ6 で目標水吹き込み量が再び5.0 t/h 以上になったので、遮断弁４ｂ，４ｃ，４ｄを閉にした。同時に、5.0 t/h の能力を有する遮断弁を開にする際に、再度遮断弁４ｅ1 ，…４ｅn を比較し、動作回数０である最初の遮断弁４ｅ2 を選択して開（遮断弁４ｅ2 ；１回目の動作）とした。引き続き、時刻ｔ7 で再び目標水吹き込み量が5.0 t/h 以下になったので遮断弁４ｂ，４ｃ，４ｄを開、遮断弁４ｅ2 を閉（遮断弁４ｅ2 ；２回目の動作）とした。
【００２７】
さらに、時刻ｔ8 での目標水吹き込み量5.0 t/h 以上に対して遮断弁４ｂ，４ｃ，４ｄを閉にし、開にする5.0 t/h の能力を有する遮断弁の中から動作回数０である最初の遮断弁４ｅ3 を選択して開（遮断弁４ｅ3 ；１回目の動作）とした。引き続き、時刻ｔ9 で再び目標水吹き込み量が5.0 t/h 以下に対して遮断弁４ｂ，４ｃ，４ｄを開、遮断弁４ｅ3 を閉（遮断弁４ｅ3 ；２回目の動作）とした。
【００２８】
以下、目標水吹き込み量が5.0 t/h 以上および5.0 t/h 以下になる都度、順次同一能力を有する遮断弁４ｅ1 ，…４ｅn の開閉動作の回数を比較して動作回数の少ない遮断弁を選択して開閉させることにより、同一能力を有する遮断弁４ｅ1 ，…４ｅn の動作回数を均一にすることができる。
〔実施例２〕  同一能力を有する遮断弁４ｅ1 ，…４ｅn にあらかじめ優先順位を付けた切り換え方式を採用した本発明の水吹き込み調湿設備を用いて水吹き込み量4.5 〜6.0 t/h で操業した。その際、比較を容易にするために水吹き込み量の変化は前出図６と同じパターンとした。
【００２９】
図４はそのときの各遮断弁の動作のタイムチャートの一例を示したものであるが、これは、最初の遮断弁４ｅ1 に優先順位として“１”を与え、遮断弁４ｅ2 に“２”を与え、以下同様にして最後に遮断弁４ｅn に“ｎ”を与えて、24時間ごとに優先順位を１つずつ繰り下げて開閉動作を行うようにした。
すなわち、図示のように、時刻ｔ1 で1.5 t/h の目標水吹き込み量に対して遮断弁４ａ，４ｂを開にし、ついで時刻ｔ2 の目標水吹き込み量4.0 t/h に対してさらに遮断弁４ｄを開、時刻ｔ3 の目標水吹き込み量4.5 t/h に対して遮断弁４ａを閉、遮断弁４ｃを開とした。そして、時刻ｔ4 で目標水吹き込み量が5.0 t/h になったので遮断弁４ｂ，４ｃ，４ｄを閉にし、5.0 t/h の能力を有する遮断弁のうち優先順位が“１”の遮断弁４ｅ1 を開にし、その後目標水吹き込み量が5.2 t/h 一定状態なので遮断弁４ｅ1 １個のみで制御した。時刻ｔ5 で目標水吹き込み量が5.0 t/h 以下になったので、遮断弁４ｅ1 を閉にし、遮断弁４ｂ，４ｃ，４ｄを開にした。さらに時刻ｔ6 で目標水吹き込み量が再び5.0 t/h 以上になったので遮断弁４ｂ，４ｃ，４ｄを閉、遮断弁４ｅ1 を開にし、時刻ｔ7 で再び目標水吹き込み量が5.0 t/h 以下になったので遮断弁４ｂ，４ｃ，４ｄを開、遮断弁４ｅ1 を閉にした。
【００３０】
時刻ｔ8 で24時間が経過したので、優先順位を“１”から１つ繰り下げて“２”にして遮断弁４ｅ2 を選択して備えた。そして、時刻ｔ9 での目標水吹き込み量5.0 t/h 以上に対して遮断弁４ｂ，４ｃ，４ｄを閉、遮断弁４ｅ2 を開とし、時刻ｔ10での目標水吹き込み量5.0 t/h 以下に対応して、遮断弁４ｅ2 を閉、遮断弁４ｂ，４ｃ，４ｄを開とした。このようにして、目標水吹き込み量が5.0 t/h 以上および5.0 t/h 以下になる都度、順次同一能力の遮断弁４ｅ1 ，…４ｅn の優先順位を一つずつ繰り下げて選択して開閉させることにより、同一能力の遮断弁４ｅ1 ，…４ｅn の動作回数を均一にすることができる。
【００３１】
【発明の効果】
以上説明したように、本発明よれば、同一能力の遮断弁の開閉動作回数を監視して動作回数の少ない遮断弁を選択するか、あるいはあらかじめ与えた優先順位に基づいて開閉させて所定時間の経過後優先順位を１つずつ繰り下げるようにして、遮断弁の開閉動作回数を均一にすることができるので、特定の遮断弁の早期劣化を防止することができるとともに、非稼働の遮断弁のさび付き等の動作不良発生を予防することができ、これによって設備として長期的な安定稼働を図ることが可能である。
【図面の簡単な説明】
【図１】本発明の水吹き込み調湿設備を示す模式的に示す概要図である。
【図２】本発明の要部を示す概念図である。
【図３】本発明を用いた遮断弁の動作の一例を示すタイムチャートである。
【図４】本発明を用いた遮断弁の動作の他の例を示すタイムチャートである。
【図５】水吹き込み調湿設備の従来例を示す概要図である。
【図６】従来例における遮断弁の動作を示すタイムチャートである。
【符号の説明】
１  高炉冷風管
２  ノズル
３  水導管
４  遮断弁
５  吹き込み水配管
６  水流量計
７  水流量調節弁
８  水昇圧ポンプ
９  水タンク
10  水圧力計
11  水流量調節器
12  水圧力調節器
13  水圧力調節弁
14  送風流量計
15  湿分計
16  水吹き込み制御器
17  リミットスイッチ
18  回線
19  カウンタ
20  回線
【図１】
0003731376.tif 000004
【図２】
0003731376.tif 000005
【図３】
0003731376.tif 000006
【図４】
0003731376.tif 000007
【図５】
0003731376.tif 000008
【図６】
0003731376.tif 000009